(57)【特許請求の範囲】
【請求項１】
装置の画像を撮影する映像撮影部と、
前記装置と近距離無線通信を行う通信部と、
前記装置から前記装置に格納されたデータを受信して受信されたデータを格納する格納部と、
前記映像撮影部で撮影された前記装置の画像を表示する映像出力部と、
前記映像撮影部で撮影した装置のオブジェクト認識を実行して得られる当該撮影した装置の種類と、前記装置との近距離無線通信により取得した近距離無線通信装置情報を利用して検出した当該装置の種類とを比較し、比較した結果、前記装置の種類が一致すると判断した場合に、当該装置に格納されたデータに対応するデータファイル情報を、撮影した前記装置の画像に合成し、前記映像出力部に表示されるようにデータ処理を実行する制御部と、
を含むことを特徴とする通信端末。
【請求項２】
前記装置の画像は、リアルタイム画像であることを特徴とする請求項１に記載の通信端末。
【請求項３】
前記オブジェクト認識は、前記撮影した装置の形状に基づいて、当該撮影した装置の種類を認識することを特徴とする請求項１又は請求項２に記載の通信端末。
【請求項４】
前記制御部は、前記通信部及び前記格納部を介して前記映像出力部に表示される前記装置のうち、伝送対象装置から受信対象装置にデータの送受信を中継するように命令を入力する入力部を更に備えることを特徴とする請求項１乃至請求項３のいずれかに記載の通信端末。
【請求項５】
前記制御部は、前記入力部を介して選択された伝送対象装置のデータファイルを、前記入力部を介して選択された受信対象装置に伝送するようにデータの送受信を中継することを特徴とする請求項４に記載の通信端末。
【請求項６】
前記映像出力部は、前記制御部が前記装置に対してデータの送受信を中継する間、その送受信の進行状況を表示することを特徴とする請求項１又は請求項２に記載の通信端末。
【請求項７】
前記映像出力部は、前記制御部が前記装置に対してデータの送受信を中継する間、その送受信の進行状況を表示することを特徴とする請求項３に記載の通信端末。
【請求項８】
前記映像出力部は、前記制御部が前記装置に対してデータの送受信を中継する間、その送受信の進行状況を表示することを特徴とする請求項４に記載の通信端末。
【請求項９】
前記映像出力部は、前記制御部が前記装置に対してデータの送受信を中継する間、その送受信の進行状況を表示することを特徴とする請求項５に記載の通信端末。
【請求項１０】
前記映像出力部は、前記装置との近距離無線通信に成功したことを示す成功表示を表示することを特徴とする請求項１乃至請求項９のいずれかに記載の通信端末。
【請求項１１】
前記通信部は、複数の近距離無線通信方式にて近距離無線通信を行うことを特徴とする請求項１乃至請求項１０のいずれかに記載の通信端末。
【請求項１２】
近距離無線通信機能を備える装置の画像を撮影して表示し、
前記装置と近距離無線通信を行い、
前記映像撮影部で撮影した装置のオブジェクト認識を実行して得られる当該撮影した装置の種類と、前記装置との近距離無線通信により取得した近距離無線通信装置情報を利用して検出した当該装置の種類とを比較し、
前記比較した結果、前記装置の種類が一致すると判断した場合に、当該装置に格納されたデータファイル情報を受信して、撮影した前記装置の画像に合成して表示すること、
を含むことを特徴とする通信端末のデータ伝送方法。
【請求項１３】
前記装置の画像は、リアルタイム画像であることを特徴とする請求項１２に記載の通信端末のデータ伝送方法。
【請求項１４】
前記オブジェクト認識は、前記撮影した装置の形状に基づいて、当該撮影した装置の種類を認識することを特徴とする請求項１２又は請求項１３に記載の通信端末のデータ伝送方法。
【請求項１５】
入力された命令に応じて前記装置のうち伝送対象装置から受信対象装置に前記通信端末を介してデータの送受信を中継することを更に含むことを特徴とする請求項１２乃至請求項１４のいずれかに記載の通信端末のデータ伝送方法。
【請求項１６】
前記装置のうち伝送対象装置から受信対象装置に前記通信端末を介してデータ送受信を中継する間、前記伝送対象装置から前記受信対象装置へのデータ送受信の進行状況を表示することを更に含むことを特徴とする請求項１２乃至請求項１４のいずれかに記載の通信端末のデータ伝送方法。
【請求項１７】
前記伝送対象装置から前記受信対象装置へのデータ送受信を中継する間、前記伝送対象装置から前記受信対象装置へのデータ送受信の進行状況を表示することを更に含むことを特徴とする請求項１５に記載の通信端末のデータ伝送方法。
【請求項１８】
前記装置との近距離無線通信が成功したことを示す成功表示を表示することを更に含むことを特徴とする請求項１２乃至請求項１７のいずれかに記載の通信端末のデータ伝送方法。
【発明の詳細な説明】
【技術分野】
【０００１】
本発明は、通信端末に係り、特に、近距離無線通信機能を備える装置を撮影して画面に表示し、撮影された装置との近距離無線通信を接続し、撮影した装置に格納されているデータを画面から確認して装置間での近距離無線通信によるデータ伝送を直観的に行うことができるようにする通信端末及びそのデータ伝送方法に関する。
【背景技術】
【０００２】
一般に、近距離に位置する無線装置間でデータを伝送する場合には、無線通信によってデータを伝送する近距離無線通信技術が広く利用されている。このような近距離無線通信では、ブルートゥース（Ｂｌｕｅｔｏｏｔｈ）（登録商標）、Ｚｉｇｂｅｅ（登録商標）、Ｗｉｆｉ（Ｗｉｒｅｌｅｓｓ  Ｆｉｄｅｌｉｔｙ）、ＩｒＤａ（Ｉｎｆｒａｒｅｄ  Ｄａｔａ  Ａｓｓｏｃｉａｔｉｏｎ）などを利用して装置間で無線通信を行う。
【０００３】
従来、近距離無線通信を行う装置間でデータを伝送する場合には、装置相互間に１対１で通信接続してデータを伝送していたため、ある装置のデータを複数の相手装置に伝送するためには、相手装置ごとに個別に通信接続してデータを伝送しなければならなかった。
【０００４】
そして、従来、近距離無線通信を行う装置間でデータを伝送する場合には、相手装置を選択し伝送対象データを選択するための一連の過程がユーザに対して直観的でなかったことから、データ伝送が不便であった。
【発明の概要】
【発明が解決しようとする課題】
【０００５】
本発明は、上述したような従来技術の問題点を解決するために提案されたものであって、その目的は、近距離無線通信機能を備える装置の画像を撮影して画面に表示し、撮影した装置に格納されているデータを画面に表示する間に当該装置との間で近距離無線通信を実行して、データ伝送を直観的かつ簡易に行うことができるようにする通信端末及びそのデータ伝送方法を提供することにある。
【課題を解決するための手段】
【０００６】
上述したような目的を達成するための本発明の一実施形態に係る通信端末は、他装置の画像を撮影する映像撮影部と、前記他装置と近距離無線通信を行う通信部と、前記他装置から受信するデータを格納する格納部と、前記他装置の前記撮影画像を表示する映像出力部と、前記格納部に格納された受信データに対応するデータ情報が前記映像出力部に表示するようにデータ処理を実行する制御部と、を含む。
【０００７】
本発明の一実施形態に係る通信端末は、装置のリアルタイム画像を撮影する映像撮影部と、前記装置のリアルタイム画像とデータを表示する映像出力部と、を含んでもよい。
【０００８】
本発明の一実施形態に係る通信端末は、第１の装置の第１リアルタイム画像と第２の装置の第２リアルタイム画像を撮影する映像撮影部と、前記第１リアルタイム画像、前記第２リアルタイム画像、前記第１の装置の第１データ、前記第２の装置の第２データを表示する映像出力部と、前記第１の装置の前記第１データと前記第２の装置の前記第２データを照合する制御部と、を含む。
【０００９】
本発明の一実施形態に係る通信端末は、前記制御部は、前記通信部及び前記格納部を介して前記他装置とのデータの送受信を中継するように命令する入力手段を更に備えてもよい。
【００１０】
本発明の一実施形態に係る通信端末は、前記制御部は、前記入力手段を介して選択された伝送対象装置のデータファイルを、前記入力手段を介して選択された受信対象装置に伝送するようにデータの送受信を中継してもよい。
【００１１】
本発明の一実施形態に係る通信端末は、前記制御部は、前記映像出力部にデータの送受信状況を表示して、前記他装置とのデータの送受信を中継してもよい。
【００１２】
また、前記制御部は、前記撮影した他装置との近距離無線通信の接続に成功すると、近距離無線通信の接続に成功した旨を前記映像出力部に表示してもよい。
【００１３】
本発明の一実施形態に係る通信端末は、前記通信部は、複数の近距離無線通信方式を利用して近距離無線通信を行ってもよい。
【００１４】
上述した目的を達成するための本発明の一実施形態に係る通信端末のデータ伝送方法は、通信端末が近距離無線通信機能を備える通信対象の他装置の画像を撮影して表示し、前記通信端末が撮影された他装置との近距離無線通信を接続し、前記通信端末が近距離無線通信によって受信した前記他装置に格納されたデータファイル情報と撮影した前記装置の画像を照合し、一致した前記データファイル情報を表示すること、を含む。                
【００１５】
本発明の一実施形態に係る通信端末のデータ伝送方法は、前記通信端末が入力された命令に応じて前記他装置とのデータの送受信を中継することを更に含んでもよい。
【００１６】
本発明の一実施形態に係る通信端末のデータ伝送方法は、前記通信端末が前記他装置とのデータの送受信を中継する場合にデータの送受信状況を表示することを更に含んでもよい。
【００１７】
本発明の一実施形態に係る通信端末のデータ伝送方法は、前記通信端末が前記撮影した他装置との近距離無線通信の接続に成功すると、近距離無線通信の接続に成功した旨を表示することを更に含んでもよい。
【発明の効果】
【００１８】
本発明によれば、近距離無線通信機能を備える装置を撮影して画面に表示し、撮影された装置との近距離無線通信を接続して、撮影した装置に格納されているデータを画面に表示して装置間のデータ伝送を簡易に行うことができるようにする。
【図面の簡単な説明】
【００１９】
【図１】本発明の一実施形態に係る通信端末のブロック図を示す図である。
【図２】本発明の一実施形態に係る通信端末のデータ伝送方法を示すフローチャートである。
【図３】本発明の一実施形態に係る通信端末のデータ伝送処理時の画面表示例を示す図である。
【図４】本発明の一実施形態に係る通信端末のデータ伝送処理時の画面表示例を示す図である。
【図５】本発明の一実施形態に係る通信端末のデータ伝送処理時の画面表示例を示す図である。
【図６】本発明の一実施形態に係る通信端末のデータ伝送処理時の画面表示例を示す図である。
【発明を実施するための形態】
【００２０】
以下、添付の図面を参照して本発明の実施形態について詳しく説明する。
【００２１】
図１は、本発明の一実施形態に係る通信端末のブロック図である。図１を参照すると、通信端末１０は、制御部１１と、映像撮影部１２と、通信部１３と、タッチスクリーン１４と、格納部１５と、を含む。映像撮影部１２は、制御部１１の制御によって映像を撮影し、撮影した映像データを制御部１１に提供する。通信部１３は、制御部１１の制御によって無線通信を行う。具体的には、通信部１３は、周辺に位置している近距離無線通信機能を備える他装置と近距離無線通信を行う。タッチスクリーン１４は、制御部１１の制御によって映像撮影部１２にて撮影された画面を表示し、ユーザのタッチ入力による命令を受信し、受信した命令を制御部１１に提供する。格納部１５は、通信端末１０を駆動するための各種のデータ及びプログラムを格納し、格納されたデータ及びプログラムを制御部１１に提供する。そして、制御部１１は、映像撮影部１２、通信部１３、タッチスクリーン１４、及び格納部１５を制御することで通信端末１０の各種動作を制御する。
【００２２】
制御部１１は、通信端末１０の周辺に存在する近距離無線通信装置へのデータ伝送のための制御処理を行う。具体的には、制御部１１は、映像撮影部１２にて撮影された近距離無線通信装置を認識し、該認識した装置各々の種類及び近距離通信方式を検出し、撮影された他装置を表示したタッチスクリーン１４の画面において、撮影した装置に格納されたデータファイル情報を照合する。すなわち、制御部１１は、タッチスクリーン１４の画面におけるタッチによって選択された伝送対象装置のデータファイルを、タッチスクリーン１４の画面におけるタッチによって選択された受信対象装置に伝送する制御処理を行うことができる。
【００２３】
タッチスクリーン１４は、拡張現実を利用して撮影された装置を表示する。例えば、映像撮影部１２が装置の画像を撮影すると、タッチスクリーン１４は、表示された装置のデータファイルと同様に装置の実態またはリアルタイム画像を表示してもよい。
【００２４】
このように、通信端末１０の制御部１１は、映像撮影部１２により撮影された装置と撮影した装置の各々のデータファイルをタッチスクリーン１４の画面に表示し、タッチスクリーン１４の画面からのユーザの指示に従って装置間でのデータファイルの伝送を可能にする。その結果、通信端末１０は、所望のデータを所望の装置に簡易に伝送できるように、ユーザがタッチスクリーン１４の画面をタッチすることによって直感的に装置を選択することができる。
【００２５】
制御部１１は、映像撮影部１２にて近距離無線通信機能を備える装置を撮影し、該撮影された装置の映像をタッチスクリーン１４の画面に表示させるように制御する。また、制御部１１は、タッチスクリーン１４の画面の一部領域にデータ伝送モードへのエントリを選択させるためのメニューを表示してもよい。ユーザが上記データ伝送モードへのエントリを選択させるメニューを選択すると、制御部１１は、データ伝送モードへのエントリを実行する。
【００２６】
データ伝送モードにおいて、制御部１１は、タッチスクリーン１４から選択される近距離無線通信対象の装置を認識するための処理を行う。具体的には、制御部１１は、撮影された装置の映像認識により得られるオブジェクト認識と、撮影された装置との近距離無線通信によって得られる近距離通信装置情報（モデル名及び固有ＩＤなどを含む）を利用して、撮影された近距離無線通信対象の装置を認識することができる。また、制御部１１は、獲得した近距離通信装置情報を利用して、撮影された装置の種類及び近距離通信方式を検出する。具体的には、制御部１１は、獲得した近距離通信装置情報を利用して、格納部１５に格納されている装置の種類及び近距離通信方式に関する情報を照会することで撮影された装置の種類及び近距離通信方式を検出することができる。
【００２７】
制御部１１は、パターン認識技術または特徴基盤幾何学的技術（ｆｅａｔｕｒｅ−ｂａｓｅｄ  
ｇｅｏｍｅｔｒｉｃ  ｔｅｃｈｎｉｑｕｅ）などの映像認識技術を利用して撮影された近距離無線通信装置の映像を認識することによってオブジェクトを認識してもよい。
【００２８】
制御部１１がパターン認識技術に基づいて撮影された装置を認識する場合は、認識対象の近距離無線通信装置の形状を予め収集して、収集した形状を格納部１５に格納し、映像撮影部１２にて撮影された装置の映像から上記格納された形状と一致する形状を探索して撮影された装置を認識してもよい。
【００２９】
また、制御部１１が特徴基盤幾何学的技術に基づいて撮影された装置を認識する場合は、予め認識対象の近距離無線通信装置の映像に存在する独立した点の分布または連続した曲線や連結された部分などの認識対象の特徴を抽出して、抽出した特徴を格納部１５に格納し、映像撮影部１２にて撮影された装置の映像から当該格納された特徴と一致する特徴を探索して撮影された装置を認識してもよい。
【００３０】
制御部１１は、映像認識によって撮影された装置のオブジェクトを認識し、撮影された装置との近距離通信によって撮影された装置の近距離無線通信装置情報（モデル名及び固有ＩＤなどを含む）を取得する。次いで、制御部１１は、撮影した装置の近距離無線通信装置情報と撮影した装置との近距離無線通信により撮影した装置とを比較する。その比較の結果、オブジェクト認識を実行した撮影装置の近距離無線通信情報と撮影した装置が一致すると判断されると、通信部１３による近距離無線通信によって獲得した撮影された装置のデータファイル情報を撮影された装置が表示されているタッチスクリーン１４の画面に適合して表示する。この場合、データファイル情報は、図５と同様に上述した拡張現実を利用して表示してもよい。
【００３１】
撮影された装置を表示したタッチスクリーン１４の画面に、撮影装置のデータファイル情報を拡張現実利用して表現して表示した状態で、ユーザがタッチスクリーン１４の画面上から伝送対象装置のデータファイル及び受信対象装置を選択すると、制御部１１は、通信部１３を制御して近距離無線通信によって選択されたデータファイルを受信対象装置に伝送する。ユーザがタッチスクリーン１４の画面上から伝送対象装置のデータファイル及び受信対象装置を選択すると、ユーザは受信対象装置に伝送するデータファイルをドラッグすることにより伝送対象装置及び受信対象装置のデータファイルを選択することができる。
【００３２】
このとき、ユーザがタッチスクリーン１４の当該画面上から伝送対象装置及びデータファイルを選択すると、制御部１１は、通信部１３による近距離無線通信によって当該データファイルを格納している装置から伝送された当該データファイルを受信して、受信したデータファイルを格納部１５に格納する。次いで、ユーザがタッチスクリーン１４の画面上から受信対象装置を選択すると、制御部１１は、格納部１５に格納されているデータファイルを抽出し、通信部１３による近距離無線通信によって抽出したデータファイルを受信対象装置に伝送する。
【００３３】
制御部１１が選択されたデータファイルを受信対象装置へ伝送する場合、図６に示すように、当該データファイル伝送の進行状況はタッチスクリーン１４の画面上に表示される。
【００３４】
通信端末１０の制御部１１は、映像認識によるオブジェクト認識を実行することにより、複数の同じ装置を認識すると、現在、通信端末１０の周辺に位置する装置との近距離通信によって獲得する近距離無線通信装置情報（モデル名及び固有ＩＤなどを含む）及びオブジェクト認識を実行した装置を比較する。そして、制御部１１は、候補装置の情報をタッチスクリーン１４の画面に表示し、ユーザによってタッチスクリーン１４の画面上から選択される候補装置と近距離無線通信を行う。近距離無線通信が成功すると、制御部１１は、タッチスクリーン１４の画面に表示されているオブジェクト認識した装置の表示を変更して、例えば、成功指標を表示して、一致する装置を認識したことをユーザに知らせてもよい。
【００３５】
また、制御部１１は、映像認識によるオブジェクト認識を実行することにより、複数の同じ装置を認識すると、現在、通信端末１０の周辺に位置する装置との近距離通信によって獲得する近距離無線通信装置情報（モデル名及び固有ＩＤなどを含む）及びオブジェクト認識を実行した装置を比較する。そして、制御部１１は、候補装置と順次に通信部１３により近距離無線通信を行う。近距離無線通信が成功すると、制御部１１は、タッチスクリーン１４の画面に表示されているオブジェクト認識した装置の表示を変更して、例えば、成功指標を表示して、一致する装置を認識したことをユーザに知らせてもよい。
【００３６】
また、制御部１１は、映像撮影部１２にて撮影した装置を認識する処理を行う場合、三角測量技術を利用して撮影された装置の位置を認識してもよい。具体的には、通信端末１０に３つのアンテナを三角形模様で配置し、制御部１１は、三角測量を実行するように、通信部１３により撮影された装置から伝送される近距離無線信号受信する。その結果、制御部１１は、撮影された装置の位置を認識することができる。このように制御部１１は、撮影された装置の位置を認識した状態で、上述と同様に当該装置と通信部１３により近距離無線通信を実行することで撮影された装置から伝送されたデータファイル情報を受信し、拡張現実を利用してタッチスクリーン１４の画面に一致したデータファイル情報を表示するために、装置とともに一致したデータファイル情報を表示する。
【００３７】
また、制御部１１は、映像撮影部１２にて撮影した装置を認識する処理を行う場合、ＧＰＳ測位を利用して当該装置の位置を認識してもよい。ＧＰＳ測位を実行するためには、通信端末１０にＧＰＳ測位のためのＧＰＳ受信部をさらに具備すればよい。
【００３８】
また、制御部１１は映像撮影部１２にて撮影された装置を認識する処理を行う場合、人体通信（ｈｕｍａｎ  ｂｏｄｙ  ｃｏｍｍｕｎｉｃａｔｉｏｎｓ）や指向性アンテナを利用して、撮影された装置を認識してもよい。
【００３９】
制御部１１は、映像撮影部１２にて撮影された装置を人体通信を利用して認識する処理を行う場合、ユーザが通信端末１０のタッチスクリーン１４画面に表示されている撮影された装置の一つをクリックし、当該通信端末１０を持っていない他方の手を当該クリックした装置に接触することでユーザの身体を介した人体通信を行うことごできる。その結果、制御部１１は、当該装置からのデータファイル情報を人体通信によって受信し、その受信データをタッチスクリーン１４の画面に表示された装置とともに拡張現実を利用して表示する。このように人体通信によって装置を認識するためには、通信部１３に人体通信を行う機能を付加すればよい。
【００４０】
また、制御部１１は、映像撮影部１２にて撮影された装置を指向性アンテナを利用して認識する処理を行う場合、通信端末１０に特定の方向に通信可能な指向性アンテナを配置し、映像撮影部１２の視野角範囲で指向性アンテナを介して装置との近距離無線通信を行う。そして、制御部１１は、当該装置と一致する方向を検出して、当該装置の位置を認識する。その結果、制御部１１は、当該装置からのデータファイル情報を近距離無線通信によって受信し、その受信データをタッチスクリーン１４の画面に表示された装置とともに拡張現実を利用して表示する。
【００４１】
制御部１１は、複数の近距離無線通信技術を利用する装置との間で近距離無線通信を実行するために通信部１３を制御することができるように、複数の近距離無線通信技術を利用して近距離無線通信を実行する機能を通信端末１０の通信部１３に提供する。このように、制御部１１は、通信端末１０の周辺に存在する他装置との近距離無線通信を実行することができるように、支援可能な近距離無線通信技術を利用して近距離無線通信を実行する通信部１３を制御する。
【００４２】
図２は、一実施形態に係る通信端末のデータ伝送方法を示すフローチャートである。図３、図４、図５及び図６は、一実施形態に係る通信端末の表示画面の一例を示す図である。
【００４３】
図２を参照すると、制御部１１は、ユーザの指示に従って映像撮影部１２にて近距離無線通信対象の装置を撮影し、撮影された装置の画像をタッチスクリーン１４の画面に表示する。例えば、図３に示すように装置Ａと装置Ｂの撮影画像をタッチスクリーン１４の画面に表示してもよい（ステップＳ１１）。
【００４４】
このとき、制御部１１は、タッチスクリーン１４の画面の一部領域にデータ伝送モードへのエントリを選択するためのメニュー（図示せず）を表示してもよい。ユーザがデータ伝送モードへのエントリするメニューを選択すると、制御部１１は、データ伝送モードへのエントリを実行する（ステップＳ１２）。
【００４５】
そして、制御部１１は、タッチスクリーン１４に表示されている撮影された装置のうち伝送対象の装置がユーザのタッチにより選択されると（ステップＳ１３）、上述したような映像認識によるオブジェクト認識または通信部１３による近距離無線通信を介して撮影された装置を認識するための処理を行うことで、選択された伝送対象の装置を認識する（ステップＳ１４）。このとき、制御部１１は、選択された伝送対象装置の種類及び通信モードと選択された伝送対象装置に格納されているデータファイルを検出し、撮影された伝送対象装置を表示したタッチスクリーン１４の画面に上記選択された伝送対象装置のデータファイル情報を拡張現実で利用して表示する。
【００４６】
例えば、図４に示すように、制御部１１は、伝送対象装置に該当する装置Ａに格納されているデータファイル例えば、背景画面、着メロ、写真ファイル、電話帳、ＭＰ３、ダウンロードファイルなどを撮影された装置Ａの画像の周辺に配置して表示してもよい。そして、タッチスクリーン１４の画面に拡張現実で利用して表示した伝送対象装置（装置Ａ）のデータファイルのうちユーザのタッチによって伝送対象のデータファイルが選択されると（ステップＳ１５）、制御部１１は、通信部１３による近距離無線通信を介して選択されたデータファイルを受信し、受信したデータファィルを格納部１５に格納する（ステップＳ１６）。
【００４７】
次いで、制御部１１は、タッチスクリーン１４に表示されている撮影された装置のうち受信対象の装置がユーザのタッチより選択されると（ステップＳ１７）、上述したような映像認識によるオブジェクト認識または通信部１３による近距離無線通信を介して当該撮影された装置を認識するための処理を行うことで、選択された受信対象の装置を認識する（ステップＳ１８）。制御部１１は、選択された受信対象装置の種類及び通信モードと選択された受信対象装置に格納されているデータファイル情報を検出し、撮影された受信対象装置を表示したタッチスクリーン１４の画面に当該撮影された装置の格納されたデータファイル情報を拡張現実を利用して表示する。例えば、図５に示すように、制御部１１は、受信対象装置に該当する装置Ｂに格納されているデータファイル、例えば、背景画面、着メロ、写真ファイル、電話帳、ＭＰ３、ダウンロードファイルなどを当該撮影された装置Ｂの加増周辺に配置して表示してもよい。
【００４８】
そして、制御部１１は、格納部１５に格納されている伝送対象のデータファイルを、通信部１３を介した近距離無線通信によって受信対象の装置に伝送する（ステップＳ１９）。また、制御部１１は、ステップＳ１９において受信対象装置にデータファイルを伝送する前に、伝送したデータファイルを格納するために受信対象装置のファイルを選択してもよい。このとき、ユーザは、タッチスクリーン１４の画面上において指先を伝送対象装置のデータファイルから受信対象装置の特定のファイルにドラッグすることで伝送対象データファイルを格納する受信対象装置の特定ファイルを指定することができる。
【００４９】
受信対象装置にデータファイルを伝送する場合、制御部１１は、タッチスクリーン１４の画面に受信対象装置へのデータファイルの伝送進行状況を拡張現実で利用して表示してもよい。例えば、制御部１１は、受信対象装置に対するデータファイルの伝送進行状況を図６に示すように表示してもよい。具体的には、装置Ａのデータファイル「着メロ」を装置Ｂへ伝送する場合、ユーザがタッチスクリーン１４の画面上において装置Ａのデータファイル「着メロ」を装置Ｂのデータファイル「ダウンロードファイル」にドラッグすることで装置Ａのデータファイルを装置Ｂへ伝送するようになる。制御部１１は、当該データファイルの伝送進行状況をタッチスクリーン１４に表示してもよい。
【００５０】
通信端末１０の制御部１１は、撮影された装置と撮影された装置のデータファイル情報をタッチスクリーン１４の画面に表示し、タッチスクリーン１４の画面を介したユーザの指示に従って装置間でのデータファイルの伝送ができるようにすることで、ユーザがタッチスクリーン１４の画面上から所望のデータを直観的にタッチ選択して所望の装置に簡易に伝送できるようにする。
【００５１】
上述した説明では、通信端末１０が撮影された装置間でデータを伝送する際に、例えば装置Ａのデータファイルを装置Ｂに伝送するといった単一方向へのデータ伝達について説明したが、ユーザがタッチスクリーン１４を介して当該撮影された装置間での双方向伝送を選択することにより、例えば、装置Ａのデータファイルの装置Ｂへの伝送と同様に装置Ｂのデータファイルを装置Ａに伝達することもできる。その際、通信端末１０は、撮影された装置間での通信をリアルタイムで中継することができる。
【００５２】
そして、上述した説明では、ユーザによってタッチスクリーン１４の画面から伝送対象装置が選択されるか、受信対象装置が選択される場合、選択された装置との近距離無線通信を接続してデータファイル情報を該選択された装置から受信し、それをタッチスクリーン１４の画面に拡張現実で表示することと説明したが、これに限定されるものではなく、通信端末１０が撮影してタッチスクリーン１４の画面に表示した装置に対して、制御部１１が一括して当該装置との近距離無線通信を接続して当該装置のデータファイル情報を獲得し、一括してタッチスクリーン１４の画面に拡張現実を利用して表示することもできる。
【００５３】
そして、上述した説明では、通信端末１０は、タッチスクリーン１４の画面上に映像撮影部１２によって撮影された装置及び該撮影された装置のデータファイルを表示し、タッチスクリーン１０を介してユーザが撮影された装置間でのデータ伝送を要求することと説明したが、表示部により当該撮影された装置を表示している間、拡張現実を利用して該当装置のデータファイルが表示できるように、通信端末１０に対して表示部と入力部が個別に提供されても良い。
【００５４】
一方、通信端末１０は、映像撮影部１２により撮影された装置間でのデータ伝送を行う場合、受信したデータファイルを格納部１５に格納するために、近距離無線通信を介してユーザによって選択された伝送対象装置のデータファイル受信し、当該データファイルをユーザによって選択された受信対象装置に近距離無線通信によって伝送する。この場合、格納部１５に格納されたデータファイルは、ユーザによって選択された複数の受信対象装置に伝送することができるので、一つの伝送対象装置のデータファイルを複数の受信対象装置に伝送することができる。
【００５５】
同様に、通信端末１０は、映像撮影部１２により撮影された装置間でのデータ伝送を行う場合、受信したデータファイルを格納部１５に格納するために、近距離無線通信を介してユーザによって選択された複数の伝送対象装置に格納されたデータファイルを受信し、当該データファイルをユーザによって選択された複数の受信対象装置に近距離無線通信によって伝送することで、複数の伝送対象装置に格納されているデータファイルを複数の受信対象装置に伝送し、その結果、複数の装置間でのデータ伝送も可能である。
【００５６】
そして、通信端末１０は、上述したように撮影された装置間のデータを伝送により撮影された装置間の通信を中継することができる。
【００５７】
上述したような機能を備える本発明に係る通信端末１０の応用例について説明する。
【００５８】
通信端末１０は、近距離無線通信機能を備えているテレビとＤＶＲ（Ｄｉｇｉｔａｌ  Ｖｉｄｅｏ  Ｒｅｃｏｒｄｅｒ）との間で近距離無線通信を中継するか、近距離無線通信機能を備えているテレビとパーソナルコンピューター間での近距離無線通信を中継することで、テレビの受信映像信号をＤＶＲまたはパーソナルコンピューターに伝送して、ＤＶＲまたはパーソナルコンピューターが当該映像信号をリアルタイムでエンコードして格納することができるようにする。本発明をこのように応用する場合、通信端末１０は、映像撮影部１２により撮影されたテレビ、ＤＶＲおよび／またはパーソナルコンピューターを含む装置をタッチスクリーン１４の画面に表示するとともに、当該装置を認識する処理を行って当該装置のデータファイルをタッチスクリーン１４の画面に拡張現実で利用して表示し、タッチスクリーン１４の画面を介したユーザの指示に従ってテレビの受信映像データファイルに格納される受信映像信号を近距離無線通信によって受信してＤＶＲまたはパーソナルコンピューターに伝送することでテレビの受信映像信号をＤＶＲまたはパーソナルコンピューターでエンコードして格納できるようにする。
【００５９】
そして、通信端末１０は、近距離無線通信機能を備えている端末機間での近距離無線通信を中継することで当該端末機間での対話またはゲームを可能にする。本発明をこのように応用する場合、通信端末１０は、映像撮影部１２により撮影された端末機をタッチスクリーン１４の画面に表示するとともに、当該端末機を認識する処理を行って当該端末機のデータファイルをタッチスクリーン１４の画面に拡張現実で利用して表示し、タッチスクリーン１４の画面を介したユーザの指示に従って端末機の特定のデータファイル間で送受信される対話またはゲームのためのデータを双方向に伝達することで端末機間での対話またはゲームを可能にする。
【００６０】
また、通信端末１０は、近距離無線通信機能を備えている装置間での近距離無線通信を中継することで当該装置間の制御を可能にする。本発明をこのように応用する場合、通信端末１０は、映像撮影部１２により撮影された装置をタッチスクリーン１４の画面に表示するとともに、当該装置を認識する処理を行って当該装置のデータファイルをタッチスクリーン１４の画面に拡張現実で利用して表示し、タッチスクリーン１４の画面を介したユーザの指示に従って装置の特定データファイル間で送受信される制御データを双方向に伝達することで装置間の制御を可能にする。例えば、通信端末１０が、映像撮影部１２により撮影されたテレビと端末機の画像をタッチスクリーン１４の画面に表示するとともに、当該テレビを認識して当該テレビのデータファイルをタッチスクリーン１４の画面に拡張現実を利用して表示し、タッチスクリーン１４の画面を介したユーザの指示に従って当該データファイルから選択されたリモートコントロールデータを端末機に伝送し、ユーザが端末機を操作することにより伝送された当該リモートコントロールデータを受信し、受信したリモートコントロールをテレビに伝送することにより、端末機にてテレビをリモートコントロールすることができる。
【００６１】
そして、通信端末１０は、イベント場所において近距離無線通信機能を備えている装置間での近距離無線通信を中継することでクーポンや贈答品をイベント参加者に伝達して使用できるようにする。本発明をこのように応用する場合、通信端末１０は、撮影した贈答品提供者端末と贈答品受信者端末をタッチスクリーン１４の画面に表示するとともに、当該端末を認識する処理を行って当該端末のデータファイルをタッチスクリーン１４の画面に拡張現実を利用して表示し、タッチスクリーン１４の画面を介したユーザの指示に従って贈答品提供者端末に格納されているクーポンや贈答品のデータファイルを贈答品受信者端末に伝送することでクーポンや贈答品の伝達を可能にする。また、通信端末１０は、同様に近距離無線通信を中継することで贈答品受信者端末に格納されているクーポンや贈答品のデータファイルをサービス提供者端末に伝送して当該クーポンや贈答品に対応するサービスを使用できるようにする。
【００６２】
また、通信端末１０は、セミナーのような会議において近距離無線通信機能を備えている装置間での近距離無線通信を中継することで共有するためのデータを会議参加者に伝送することができる。本発明をこのように応用する場合、通信端末１０は、映像撮影部１２により撮影されたデータ提供者端末とデータ受信者端末をタッチスクリーン１４の画面に表示するとともに、当該端末を認識する処理を行って当該端末のデータファイルをタッチスクリーン１４の画面に拡張現実を利用して表示し、タッチスクリーン１４の画面を介したユーザの指示に従ってデータ提供者端末に格納されている共有するためのデータファイルをデータ受信者端末に伝送することで共有するめのデータを会議参加者に伝送することができる。
【００６３】
上述したように、通信端末１０は、映像撮影部１２により撮影された近距離無線通信機能を備える装置を認識し、当該装置に格納されているデータをタッチスクリーン１４の画面に表示して、ユーザが画面によりデータ伝送を確認しながら、該当装置間のデータ伝送要求を直観的かつ簡易に行うことができるようにする。
【００６４】
以上、説明した通信端末及びデータ伝送方法によれば、近距離無線通信機能を備える端末は、撮影されて画面に表示され、撮影された装置間の近距離無線通信は、撮影された装置に格納されたデータを確認することにより実行される。
【００６５】
本発明の範囲や主旨から外れることなく各種の変更や修正が可能であることは、当業者にとって明らかである。本発明の意図することは、本発明の請求項とその等価の範囲内において本発明の変更や修正を包含することである。
【符号の説明】
【００６６】
１０  通信端末
１１  制御部
１２  映像撮影部
１３  通信部
１４  タッチスクリーン
１５  格納部
【図１】
0005523233.tif 000002
【図２】
0005523233.tif 000003
【図３】
0005523233.tif 000004
【図４】
0005523233.tif 000005
【図５】
0005523233.tif 000006
【図６】
0005523233.tif 000007